(57)【要約】【課題】  不衛生になることなく、オーバーフロー水を再利用することにより、省資源化、低コスト化及び省エネルギー化を図ることができる浴槽循環濾過システムを提供する。【解決手段】  浴槽循環濾過システム１は、仕切り板１３で浴槽２の一部を仕切ることにより、回収槽部１４と入浴槽部１５とを形成し、回収槽部１４に回収された湯水を再利用するように構成した。また、浴槽２内の一部に回収槽部１４を設けているので、回収槽部１４内の清掃及びメンテナンスを容易に行うことができる。【選択図】  図１
2006043410.tif 000002
【特許請求の範囲】
【請求項１】
吸込口と噴出口とを有する浴槽と、湯水を濾過する濾過装置と、湯水を加熱する熱交換器と、湯水を循環させるポンプとを備え、前記浴槽内の湯水が前記ポンプにより循環されることにより、前記浴槽内の湯水が前記吸込口から前記濾過装置へ送られて前記濾過装置で濾過された後に前記熱交換器で所定温度に加熱されて前記噴出口から前記浴槽へ戻される浴槽循環濾過システムにおいて、
前記浴槽内の一部を仕切ることにより前記吸込口を有する回収槽部と前記噴出口を有する入浴槽部とを形成し、その上端が前記浴槽の上端よりも低く形成されていると共に、その下端に前記入浴槽部と前記回収槽部とを連通する連通口が形成された仕切り板と、
前記入浴槽部から前記連通口を通じて前記回収槽部へ流出される湯水の流出量を調整する流出量調整手段とを備えたことを特徴とする浴槽循環濾過システム。
【請求項２】
前記回収槽部内で前記仕切り板の高さよりも低い位置に、前記回収槽部内の湯水を前記回収槽部の外部へ排水する排水口を備えたことを特徴とする請求項１記載の浴槽循環濾過システム。
【発明の詳細な説明】
【技術分野】
【０００１】
本発明は、入浴施設において、浴槽内の湯水を循環させて濾過する浴槽循環濾過システムに関する。
【背景技術】
【０００２】
従来、入浴施設では、浴槽内の湯水を定期的にまたは常時循環させて濾過し、これを浴槽へ戻して再利用する浴槽循環濾過システムが備えられている。こうした浴槽循環濾過システムには、浴槽から流出したオーバーフロー水を機械室に設置された回収槽に一旦回収し、このオーバーフロー水を循環させて濾過するオーバーフロー型の浴槽循環濾過システムがある。（例えば特許文献１参照）
【特許文献１】特開２００３−３１１１０７号公報
【発明の開示】
【発明が解決しようとする課題】
【０００３】
上記従来構成の浴槽循環濾過システムは、湯水に混入した毛髪、垢、塵埃等の浮遊物はオーバーフロー水と共に浴槽から流出され、浮遊物が含まれたオーバーフロー水は一旦回収槽に回収された後に、濾過装置へ送られる構成である。しかしながら、この回収槽は上記したように機械室に設置されているので、回収槽の清掃及びメンテナンス等が難しく、その結果、レジオネラ菌が発生する等して不衛生なものであった。
【０００４】
こうした衛生的問題のため、近年では回収槽を機械室に設置することが禁止され、浮遊物が含まれたオーバーフロー水は回収されずそのまま捨てられるようになった。しかしながら、この構成ではレジオネラ菌が発生する等の衛生的問題は解決できるが、オーバーフロー水の再利用ができず不経済なものである。また、その捨てた量に相当する湯水を補充するには、低い温度の水を適温にまで加熱する必要があり、エネルギー的にも不経済である。
【０００５】
本発明は、上記した事情に鑑みてなされたものであり、その目的は、不衛生になることなく、オーバーフロー水を再利用することにより、省資源化、低コスト化及び省エネルギー化を図ることができる浴槽循環濾過システムを提供することにある。
【課題を解決するための手段】
【０００６】
請求項１記載の浴槽循環濾過システムは、吸込口と噴出口とを有する浴槽と、湯水を濾過する濾過装置と、湯水を加熱する熱交換器と、湯水を循環させるポンプとを備え、前記浴槽内の湯水が前記ポンプにより循環されることにより、前記浴槽内の湯水が前記吸込口から前記濾過装置へ送られて前記濾過装置で濾過された後に前記熱交換器で所定温度に加熱されて前記噴出口から前記浴槽へ戻される浴槽循環濾過システムにおいて、前記浴槽内の一部を仕切ることにより前記吸込口を有する回収槽部と前記噴出口を有する入浴槽部とを形成し、その上端が前記浴槽の上端よりも低く形成されていると共に、その下端に前記入浴槽部と前記回収槽部とを連通する連通口が形成された仕切り板と、前記入浴槽部から前記連通口を通じて前記回収槽部へ流出される湯水の流出量を調整する流出量調整手段とを備えたことに特徴を有する。
【０００７】
請求項２記載の浴槽循環濾過システムは、前記回収槽部内で前記仕切り板の高さよりも低い位置に、前記回収槽部内の湯水を前記回収槽部の外部へ排水する排水口を備えたことに特徴を有する。
【発明の効果】
【０００８】
請求項１記載の浴槽循環濾過システムによれば、仕切り板の高さを浴槽の上端より低く形成したので、入浴槽部内の湯水は、水位が仕切り板より高くなると、浴槽の上端の高さに達する前に、仕切り板を越えてオーバーフロー水として回収槽部に回収される。その際、入浴槽部内の湯水に浮かんでいる浮遊物もオーバーフロー水と共に回収槽部に回収される。また、仕切り板に連通口を備えたので、入浴槽部内の湯水は噴出口からの水流や入浴槽部内の水圧により、連通口を通じて回収槽部に流出される。その際、入浴槽部内の底に沈んでいる沈殿物も、湯水と共に回収槽部へ回収される。そして、回収槽部内に回収された湯水は、吸込口から濾過装置へ送られて浮遊物や沈殿物が取り除かれた後、熱交換器で所定温度に加熱されて噴出口から入浴槽部へ戻される。
【０００９】
このように、オーバーフロー水も含めて回収槽部に回収された湯水を再利用することができ、水資源の節約により省資源化を図ることができると共に水道料金の低減により低コスト化を図ることができる。また、略適温に近い温度であるオーバーフロー水を所定温度に加熱して再利用でき、低い温度の水を所定温度にまで加熱する必要はなく、省エネルギー化を図ることができる。
【００１０】
また、流出量調整手段により連通口を通じた湯水の流出量を調整可能に構成したので、流出量を少なく調整すると、その分、仕切り板を越えるオーバーフロー水の量が多くなり、一方、流出量を多く調整すると、その分、仕切り板を越えるオーバーフロー水の量が少なくなり、連通口を通じた湯水の流出量を調整することによりオーバーフロー水の量を調整することができ、ユーザが所望する量でオーバーフロー水を回収することができる。
【００１１】
また、浴槽内の一部に回収槽部を設けているので、回収槽部内の清掃及びメンテナンスを浴槽の清掃をするのと同様にして容易に行うことができる。これにより、レジオネラ菌が発生する等のトラブルを容易に防ぐことができ、より衛生的な循環濾過を行うことができる。
【００１２】
請求項２記載の浴槽循環濾過システムによれば、仕切り板の高さよりも低い位置に回収槽部内の湯水を回収槽部の外部へ排水する排水口を備えたので、回収槽部内の湯水は、水位が排水口に達すると、排水口から回収槽部の外部へ排水される。これにより、回収槽部内の湯水が仕切り板を超えて入浴槽部に逆流してしまうことを防止することができ、入浴槽部内の湯水を衛生的に保つことができる。
【発明を実施するための最良の形態】
【００１３】
以下、本発明の一実施形態を図面に基づいて説明する。浴槽循環濾過システム１は、浴槽２と、循環路３とを備えて構成されている。浴槽２は、全体的に凹状に形成されており、その内壁面２ａに噴出口４を有すると共に、その底面２ｂに噴出口５と吸込口６，７を有して構成されている。循環路３は、吸込口６，７から噴出口４、５に至る配管８上にヘアキャッチャ９と、ポンプ１０と、濾過装置１１と、熱交換器１２とを備えて構成されている。ポンプ１０は、循環路３において吸込口７から噴出口４，５に向かう方向（図中矢印Ａ参照）へ湯水を循環させる。ヘアキャッチャ９は、湯水中の毛髪やタオル屑を除去する。濾過装置１１は、濾材により湯水中の浮遊物や沈殿物を除去する。熱交換器１２は、湯水を所定温度に加熱する。これにより、浴槽２中の湯水は、ポンプ１０により循環路３上で循環されることにより、ヘアキャッチャ９で毛髪やタオル屑が除去され、濾過装置１１で浮遊物や沈殿物が除去され、熱交換器１２で所定温度に加熱された後に、噴出口４，５から浴槽２内へ戻される（図中矢印Ｂ参照）。
【００１４】
さて、上記した構成において、浴槽２内には仕切り板１３が配設されている。この仕切り板１３は、浴槽２の一部を仕切ることにより、上記した吸込口７を有する回収槽部１４と上記した吸込口６と噴出口４，５とを有する入浴槽部１５とを形成する。この場合、仕切り板１３の高さ（図中Ｈ１参照）は浴槽２の高さ（図中Ｈ２参照）よりも低く形成されている。また、仕切り板１３の下端には入浴槽部１５と回収槽部１４とを連通する連通口１６が形成されている。連通口１６を具体的に説明すると、連通口１６は、本発明でいう流出量調整手段としての開口蓋板１８ａが支持板１８ｂに対して上下方向にスライドすると共にネジ１７によりネジ止めされることにより（図中矢印Ｄ参照）、その開口面積が調整されるようになっている。
【００１５】
また、回収槽部１４には、グレイチング１９が配設されている。このグレイチング１９は格子状に形成され、その一部に排水口２０が併設されていると共に、浴槽２の内壁面２ｃに形成された凸部２２と仕切り板１３の壁面に形成された凸部２３とにより、仕切り板１３の高さよりも低い高さ（図中Ｈ３参照）で支持されている。よって、グレイチング１９に併設された排水口２０も仕切り板１３の高さよりも低い高さで保持されている。
【００１６】
また、上記した構成において、回収槽部１４に形成された接続口３１には、連通管２５及び弁２６を介して水位センサ２４が接続されている。ここで、水位センサ２４内の湯水と回収槽部１４内の湯水とは連通管２５を介して連通されている。そのため、水位センサ２４内の湯水の水位と回収槽部１４内の湯水の水位とは連動して変化するので、水位センサ２４は、上から下に延び長さの異なる６本の電極棒２７a〜２７ｆにより、水位センサ２４内の湯水の水位を検出することにより、回収槽部１４内の湯水の水位を検出し、検出した水位により、補給湯器に給湯を停止させる旨の信号または給湯を開始させる旨の信号を送り、補給湯器から入浴槽部１５への給湯（図中矢印Ｅ参照）を停止または開始させる。
【００１７】
また、上記した構成において、濾過装置１１は、逆洗機能を備えている。逆洗機能とは、濾材に溜まった浮遊物や沈殿物を湯水と共に排水する機能のことである。具体的に説明すると、濾過装置１１において、逆洗時には、濾過装置１１内の弁が切換わることにより濾材内の湯水の流れが通常とは逆方向になる。また、モーター２８が作動し電動弁２９が開かれることにより、入浴槽部１５内の湯水が吸込口６から濾過装置１１へ送られる。そして、この送られてきた湯水が濾材内を逆方向に流れることにより濾材の逆洗が行われ、濾材に溜まっていた浮遊物や沈殿物は湯水と共に排水管３０から排水される。
【００１８】
次に、上記した構成の作用について説明する。入浴者が入浴槽部１５に入ると、入浴槽部１５の上層では、入浴槽部１５内の湯水の水位が高くなるが、この場合、上記したように入浴槽部１５と回収槽部１４とを仕切る仕切り板１３の高さが浴槽２の高さよりも低く形成されているので、入浴槽部１５の湯水は、その水位が仕切り板１３の高さよりも高くなったとしても、入浴槽部１５から浴槽２の外部へ流出されるのではなく、入浴槽部１５から仕切り板１３を越えて回収槽部１４へ流出されることになり、つまり、オーバーフロー水として回収槽部１４へ回収されることになる。この時、入浴槽部１５内の湯水に浮かんでいる浮遊物も、オーバーフロー水と共に回収槽部１４へ回収されることになる（図中矢印Ｆ参照）。
【００１９】
一方、入浴槽部１５の下層では、噴出口４，５から噴出される湯水により入浴槽部１５から回収槽部１４へ向かう方向に水流が形成される（図中矢印Ｃ参照）。そして、この水流により、入浴者が入浴槽部１５へ入ったか否かに拘わらず、入浴槽部１５内の湯水は、入浴槽部１５から連通口１６を通じて回収槽部１４へ流出されることになり、つまり、回収槽部１４へ回収されることになる。この時、入浴槽部１５の下層に沈んでいる沈殿物も、この水流と共に回収槽部１４へ回収されることになる。
【００２０】
そして、回収槽部１４に回収された湯水は、ポンプ１０により循環路３上で循環されることにより、ヘアキャッチャ９で毛髪やタオル屑が除去され、濾過装置１１で浮遊物や沈殿物が除去され、熱交換器１２で所定温度に加熱された後に、噴出口４，５から入浴槽部１５内へ戻される。
【００２１】
また、連通口１６の開口面積を小さく調整すると、入浴槽部１５から連通口１６を通じて回収槽部１４へ流出される湯水の流出量が少なくなり、その分、入浴槽部１５から仕切り板１３を越えて回収槽部１４へ回収されるオーバーフロー水の量が多くなる。一方、連通口１６の開口面積を大きく調整すると、連通口１６を通じた回収槽部１４への湯水の流出量が多くなり、その分、仕切り板１３を越えるオーバーフロー水の量が少なくなる。
【００２２】
また、大人数の入浴者が一斉に入浴槽部１５に入ると、入浴槽部１５から仕切り板１３を越えて回収槽部１４へ流出される湯水の水量が一斉に増加し、回収槽部１４内の湯水の水位も一斉に高くなるが、この場合、上記したように、グレイチング１９に併設された排水口２０が仕切り板１３の高さよりも低い高さで保持されているので、回収槽部１４内の湯水は、その水位が排水口２０に達すると、仕切り板１３を超えて入浴槽部１５に逆流するのではなく、排水口２０から回収槽部１４の外部へ排水されることになる（図中矢印Ｇ参照）。
【００２３】
さて、上記した回収槽部１４の容積は仕切り板１３の配設位置により決まるものであるが、ここで、上記した回収槽部１４の容積、換言すれば、浴槽２における仕切り板１３の配設位置の決め方の一例について説明する。
【００２４】
例えば、入浴槽部１５の面積が１０平方メートル、入浴者１人あたりの入浴槽部１５を占める面積が１平方メートルと仮定すると、式（１）により
入浴槽部１５の定員＝入浴槽部１５の面積／入浴者１人あたりの入浴槽部１５を占める面積・・・・・（１）
入浴槽部１５の定員は１０人である。
【００２５】
そして、入浴者１人あたりの入浴槽部１５を占める体積が５０リットルと仮定すると、式（２）により、
オーバーフロー水量＝入浴者１人あたりの入浴槽部１５を占める体積×入浴者数・・・・・（２）
入浴槽部１５の入浴者数が定員である１０人の時のオーバーフロー水量は５００リットルとなる。
【００２６】
そして、この定員時のオーバーフロー水量５００リットルを回収槽部１４の容積とすることにより、回収槽部１４は定員１０人までのオーバーフロー水５００リットルまでを回収することができ、一方、入浴者数が定員１０人を超える場合、例えば１２人が入浴した場合は、２人分のオーバーフロー水量１００リットルは排水口２０から排水される。この排水により、循環されている湯水の量が減ると、入浴槽部１５の湯水量が減り、オーバーフロー水が流出しにくくなることにより、回収槽部１４内の湯水の水位も上がりにくくなる。そして、水位センサ２４が低い水位を検出すると、新しく湯水が補給湯器から給湯されるので、その結果、古い湯水が排水され、新しい湯水が給湯されることになる。
【００２７】
このように、一定条件に基づいて回収槽部１４の容積（仕切り板１３の配設位置）を決めることにより、入浴者数が定員以下である場合は、オーバーフロー水を再利用することができ、一方、入浴者数が定員を超える場合は、その超えた人数分のオーバーフロー水が新しい湯水に入れ替わるといった効果を得ることができる。
【００２８】
以上に説明したように本実施形態によれば、オーバーフロー水も含めて回収槽部１４に回収された湯水を再利用するように構成したので、水資源の節約により省資源化を図ることができると共に水道料金の低減により低コスト化を図ることができる。また、略適温に近い温度であるオーバーフロー水を所定温度に加熱して再利用でき、低い温度の水を所定温度にまで加熱する必要はなく、省エネルギー化を図ることができる。
【００２９】
また、オーバーフロー水の量を調整することができ、ユーザが所望する量でオーバーフロー水を回収することができる。
また、浴槽２内の一部に回収槽部１４を設けているので、回収槽部１４内の清掃及びメンテナンスを容易に行うことができ、回収槽部１４内にレジオネラ菌が発生する等のトラブルを容易に防ぐことができ、より衛生的な循環濾過を行うことができる。
【００３０】
また、回収槽部１４の湯水が入浴槽部１５へ逆流することもないので、入浴槽部１５内の湯水を衛生的に保つことができる。
本発明は、上記した実施形態にのみ限定されるものではなく、例えば流出量調整手段は、バルブの開閉により流出量の調整を行うものであっても良い。
【図面の簡単な説明】
【００３１】
【図１】本発明の一実施形態を示す全体構成図
【符号の説明】
【００３２】
図面中、１は浴槽循環濾過システム、２は浴槽、４は噴出口、５は噴出口、７は吸込口、１０はポンプ、１１は濾過装置、１２は熱交換器、１３は仕切り板、１４は回収槽部、１５は入浴槽部、１６は連通口、１８ａは開口蓋板（流出量調整手段）、２０は排水口を示す。
【図１】
2006043410.tif 000003
【手続補正書】
【提出日】平成17年8月9日(2005.8.9)
【手続補正１】
【補正対象書類名】特許請求の範囲
【補正対象項目名】全文
【補正方法】変更
【補正の内容】
【特許請求の範囲】
【請求項１】
吸込口と噴出口とを有する浴槽と、湯水を濾過する濾過装置と、湯水を加熱する熱交換器と、湯水を循環させるポンプとを備え、前記浴槽内の湯水が前記ポンプにより循環されることにより、前記浴槽内の湯水が前記吸込口から前記濾過装置へ送られて前記濾過装置で濾過された後に前記熱交換器で所定温度に加熱されて前記噴出口から前記浴槽へ戻される浴槽循環濾過システムにおいて、
前記浴槽内の一部を仕切ることにより前記吸込口を有する回収槽部と前記噴出口を有する入浴槽部とを形成し、その上端が前記浴槽の上端よりも低く形成されていると共に、その下端に前記入浴槽部と前記回収槽部とを連通する連通口が形成された仕切り板と、
前記入浴槽部から前記連通口を通じて前記回収槽部へ流出される湯水の流出量を調整する流出量調整手段と、
前記回収槽部内で前記仕切り板の高さよりも低い位置に配置され、前記回収槽部内の湯水を前記回収槽部の外部へ排水する排水口とを備えたことを特徴とする浴槽循環濾過システム。
【請求項２】
前記排水口は、前記仕切り板の上端面と略水平な面に近い位置に配置されていることを特徴とする請求項１記載の浴槽循環濾過システム。
【手続補正２】
【補正対象書類名】明細書
【補正対象項目名】０００６
【補正方法】変更
【補正の内容】
【０００６】
請求項１記載の浴槽循環濾過システムは、吸込口と噴出口とを有する浴槽と、湯水を濾過する濾過装置と、湯水を加熱する熱交換器と、湯水を循環させるポンプとを備え、前記浴槽内の湯水が前記ポンプにより循環されることにより、前記浴槽内の湯水が前記吸込口から前記濾過装置へ送られて前記濾過装置で濾過された後に前記熱交換器で所定温度に加熱されて前記噴出口から前記浴槽へ戻される浴槽循環濾過システムにおいて、前記浴槽内の一部を仕切ることにより前記吸込口を有する回収槽部と前記噴出口を有する入浴槽部とを形成し、その上端が前記浴槽の上端よりも低く形成されていると共に、その下端に前記入浴槽部と前記回収槽部とを連通する連通口が形成された仕切り板と、前記入浴槽部から前記連通口を通じて前記回収槽部へ流出される湯水の流出量を調整する流出量調整手段と、前記回収槽部内で前記仕切り板の高さよりも低い位置に配置され、前記回収槽部内の湯水を前記回収槽部の外部へ排水する排水口とを備えたことに特徴を有する。
【手続補正３】
【補正対象書類名】明細書
【補正対象項目名】０００７
【補正方法】変更
【補正の内容】
【０００７】
請求項２記載の浴槽循環濾過システムは、前記排水口は、前記仕切り板の上端面と略水平な面に近い位置に配置されていることに特徴を有する。
【手続補正４】
【補正対象書類名】明細書
【補正対象項目名】００１１
【補正方法】変更
【補正の内容】
【００１１】
また、浴槽内の一部に回収槽部を設けているので、回収槽部内の清掃及びメンテナンスを浴槽の清掃をするのと同様にして容易に行うことができる。これにより、レジオネラ菌が発生する等のトラブルを容易に防ぐことができ、より衛生的な循環濾過を行うことができる。
さらに、仕切り板の高さよりも低い位置に回収槽部内の湯水を回収槽部の外部へ排水する排水口を備えたので、回収槽部内の湯水は、水位が排水口に達すると、排水口から回収槽部の外部へ排水される。これにより、回収槽部内の湯水が仕切り板を超えて入浴槽部に逆流してしまうことを防止することができ、入浴槽部内の湯水を衛生的に保つことができる。
【手続補正５】
【補正対象書類名】明細書
【補正対象項目名】００１２
【補正方法】削除
【補正の内容】
【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
吸込口と噴出口とを有する浴槽と、湯水を濾過する濾過装置と、湯水を加熱する熱交換器と、湯水を循環させるポンプとを備え、前記浴槽内の湯水が前記ポンプにより循環されることにより、前記浴槽内の湯水が前記吸込口から前記濾過装置へ送られて前記濾過装置で濾過された後に前記熱交換器で所定温度に加熱されて前記噴出口から前記浴槽へ戻される浴槽循環濾過システムにおいて、
前記浴槽内の一部を仕切ることにより前記吸込口を有する回収槽部と前記噴出口を有する入浴槽部とを形成し、その上端が前記浴槽の上端よりも低く形成されていると共に、その下端に前記入浴槽部の槽内の底部と前記回収槽部の槽内の底部とを連通する連通口が形成された仕切り板と、
前記入浴槽部から前記連通口を通じて前記回収槽部へ流出される湯水の流出量を調整する流出量調整手段と、
前記回収槽部内で前記仕切り板の高さよりも低くて前記仕切り板の上端面と略水平な面に近い位置に配置され、前記回収槽部内の湯水を前記回収槽部の外部へ排水する排水口とを備えたことを特徴とする浴槽循環濾過システム。
【手続補正２】
【補正対象書類名】明細書
【補正対象項目名】０００６
【補正方法】変更
【補正の内容】
【０００６】
請求項１記載の浴槽循環濾過システムは、吸込口と噴出口とを有する浴槽と、湯水を濾過する濾過装置と、湯水を加熱する熱交換器と、湯水を循環させるポンプとを備え、前記浴槽内の湯水が前記ポンプにより循環されることにより、前記浴槽内の湯水が前記吸込口から前記濾過装置へ送られて前記濾過装置で濾過された後に前記熱交換器で所定温度に加熱されて前記噴出口から前記浴槽へ戻される浴槽循環濾過システムにおいて、前記浴槽内の一部を仕切ることにより前記吸込口を有する回収槽部と前記噴出口を有する入浴槽部とを形成し、その上端が前記浴槽の上端よりも低く形成されていると共に、その下端に前記入浴槽部の槽内の底部と前記回収槽部の槽内の底部とを連通する連通口が形成された仕切り板と、前記入浴槽部から前記連通口を通じて前記回収槽部へ流出される湯水の流出量を調整する流出量調整手段と、前記回収槽部内で前記仕切り板の高さよりも低くて前記仕切り板の上端面と略水平な面に近い位置に配置され、前記回収槽部内の湯水を前記回収槽部の外部へ排水する排水口とを備えたことに特徴を有する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項１記載の浴槽循環濾過システムによれば、仕切り板の高さを浴槽の上端より低く形成したので、入浴槽部内の湯水は、水位が仕切り板より高くなると、浴槽の上端の高さに達する前に、仕切り板を越えてオーバーフロー水として回収槽部に回収される。その際、入浴槽部内の湯水に浮かんでいる浮遊物もオーバーフロー水と共に回収槽部に回収される。また、仕切り板に入浴槽部の槽内の底部と回収槽部の槽内の底部とを連通する連通口を備えたので、入浴槽部の槽内の底部の湯水は噴出口からの水流や入浴槽部内の水圧により、連通口を通じて回収槽部に流出される。その際、入浴槽部内の底に沈んでいる沈殿物も、湯水と共に回収槽部へ回収される。そして、回収槽部内に回収された湯水は、吸込口から濾過装置へ送られて浮遊物や沈殿物が取り除かれた後、熱交換器で所定温度に加熱されて噴出口から入浴槽部へ戻される。
【手続補正５】
【補正対象書類名】明細書
【補正対象項目名】００１１
【補正方法】変更
【補正の内容】
【００１１】
また、浴槽内の一部に回収槽部を設けているので、回収槽部内の清掃及びメンテナンスを浴槽の清掃をするのと同様にして容易に行うことができる。これにより、レジオネラ菌が発生する等のトラブルを容易に防ぐことができ、より衛生的な循環濾過を行うことができる。
さらに、仕切り板の高さよりも低くて仕切り板の上端面と略水平な面に近い位置に回収槽部内の湯水を回収槽部の外部へ排水する排水口を備えたので、回収槽部内の湯水は、水位が排水口に達すると、排水口から回収槽部の外部へ排水される。これにより、回収槽部内の湯水が仕切り板を超えて入浴槽部に逆流してしまうことを防止することができ、入浴槽部内の湯水を衛生的に保つことができる。